(57)【要約】【課題】剛性が大きく且つ高さ寸法が小さい天井構造および吊金具を提供することを課題とする。【解決手段】ウェブ１１と上下のフランジ１２，１３を備えた断面Ｈ型の支持ランナ１０と、支持ランナ１０に交差する方向に延在するとともに支持ランナ１０に支持される野縁２０と、支持ランナ１０を支持する吊金具３０とを備え、野縁２０の端部は、上下のフランジ１２，１３間に挿入されて係止され、吊金具３０は、上側のフランジ１２を下側から支えていることを特徴とする。そして、吊金具３０は、支持ランナ１０の上側のフランジ１２，１２のうち一方に突出するフランジ１２を下側から支える第一支持部３１と、支持ランナ１０の上側のフランジ１２，１２のうち他方に突出するフランジ１２を下側から支える第二支持部３２とを備えているものが好ましい。【選択図】図４
2019152060.tif 000002
【特許請求の範囲】
【請求項１】
ウェブと上下のフランジを備えた断面Ｈ型の支持ランナと、前記支持ランナに交差する方向に延在するとともに前記支持ランナに支持される野縁と、前記支持ランナを支持する吊金具とを備え、
前記野縁の端部は、前記上下のフランジ間に挿入されて係止され、
前記吊金具は、上側の前記フランジを下側から支えている
ことを特徴とする天井構造。
【請求項２】
前記吊金具は、前記支持ランナの上側の前記フランジのうち一方に突出する前記フランジを下側から支える第一支持部と、前記支持ランナの上側の前記フランジのうち他方に突出する前記フランジを下側から支える第二支持部とを備えている
ことを特徴とする請求項１に記載の天井構造。
【請求項３】
前記吊金具は、互いに固定される第一部材と第二部材とから構成されており、
前記第一部材は、前記支持ランナの上側の前記フランジのうち一方に突出する前記フランジが挿入される第一スリットを備え、前記第一スリットの下側部分が前記第一支持部を構成し、
前記第二部材と前記第一部材とが合わさって、前記支持ランナの上側の前記フランジのうち他方に突出する前記フランジが挿入される第二スリットが形成され、
前記第二スリットの下側になる前記第二部材が前記第二支持部を構成している
ことを特徴とする請求項２に記載の天井構造。
【請求項４】
前記吊金具は、吊ボルトを固定する吊ボルト固定部を備えており、
前記吊ボルト固定部には、前記吊ボルトが挿通する長孔が形成されている
ことを特徴とする請求項１乃至請求項３のいずれか一項に記載の天井構造。
【請求項５】
前記吊金具は、ブレースを固定するためのブレース取付面を備えている
ことを特徴とする請求項１乃至請求項４のいずれか一項に記載の天井構造。
【請求項６】
前記吊金具に交差する交差金具をさらに備えており、
前記交差金具は、前記ブレースとは異なる方向に延在する第二ブレースを固定するための第二ブレース取付面を備えている
ことを特徴とする請求項５に記載の天井構造。
【請求項７】
前記交差金具は、前記吊金具が交差した状態で挿通する切欠きを備えている
ことを特徴とする請求項６に記載の天井構造。
【請求項８】
前記フランジの先端部に、上下で対向する前記フランジに向かって突出する突部が形成されており、
前記突部は、前記フランジの長手方向に沿って連続的または間欠的に形成されており、
前記野縁に、前記突部が挿通または噛合する凹部が形成されている
ことを特徴とする請求項１乃至請求項７のいずれか一項に記載の天井構造。
【請求項９】
ウェブと上下のフランジを備えた断面Ｈ型の支持ランナを支持する吊金具であって、
前記支持ランナの上側の前記フランジのうち一方に突出する前記フランジを下側から支える第一支持部と、前記支持ランナの上側の前記フランジのうち他方に突出する前記フランジを下側から支える第二支持部とを備えている
ことを特徴とする吊金具。
【請求項１０】
ウェブと上下のフランジを備えた支持ランナを支持する吊金具であって、
前記支持ランナを支持する第一金具と、前記第一金具に交差する第二金具とを備え、
前記第一金具は、前記支持ランナの上側の前記フランジのうち一方に突出する前記フランジを下側から支える第一支持部と、前記支持ランナの上側の前記フランジのうち他方に突出する前記フランジを下側から支える第二支持部と、ブレースを固定するためのブレース取付面とを備えており、
前記第二金具は、前記ブレースとは異なる方向に延在する第二ブレースを固定するための第二ブレース取付面を備えている
ことを特徴とする吊金具。
【発明の詳細な説明】
【技術分野】
【０００１】
本発明は、天井構造および吊金具に関する。
【背景技術】
【０００２】
従来の天井下地は、上部構造体に取り付けられた吊ボルトに野縁受けを取り付け、その野縁受けに野縁を連結して構成されているものが一般的である（例えば特許文献１参照）。野縁と野縁受けは、互いに直交して格子状に配置されている。野縁受けは、側方に開口された断面縦長コ字状の金属製チャンネル材が用いられ、野縁は、上方に開口され、上端に互いに対向するリップ部を備えた断面Ｃ字状の金属製スタッド材が用いられることが多い。野縁は、連結金具を介して野縁受けの下側に連結されている。野縁の下面には、天井板が固定されている。
【先行技術文献】
【特許文献】
【０００３】
【特許文献１】特開２０１５−００７３２６号公報
【発明の概要】
【発明が解決しようとする課題】
【０００４】
従来の野縁受けは、縦長の部材であるので、弱軸方向となる水平方向の剛性が低いという問題があった。また、野縁は野縁受けの下側に固定されているので、野縁受けと野縁が上下方向に配置されることになる。そのため、天井裏寸法が小さい場合は、ダクト等を設置するための設備配管スペースが狭くなる問題もあった。
【０００５】
このような観点から、本発明は、剛性が高く且つ高さ寸法が小さい天井構造および吊金具を提供することを課題とする。
【課題を解決するための手段】
【０００６】
前記課題を解決するための本発明は、ウェブと上下のフランジを備えた断面Ｈ型の支持ランナと、前記支持ランナに交差する方向に延在するとともに前記支持ランナに支持される野縁と、前記支持ランナを支持する吊金具とを備え、前記野縁の端部は、前記上下のフランジ間に挿入されて係止され、前記吊金具は、上側の前記フランジを下側から支えていることを特徴とする天井構造である。
【０００７】
このような構成によれば、支持ランナが断面Ｈ型形状を呈しているので、水平方向の剛性を高くできる。また、上下のフランジ間に野縁の端部を挿入して係止しているので、支持ランナと野縁を同じ高さに配置することができる。これによって、天井下地材の高さ寸法を小さくすることができる。さらに、吊金具は、上側のフランジを下側から支えているので、支持ランナを安定した状態で支持することができる。
【０００８】
また、本発明に係る天井構造では、前記吊金具は、前記支持ランナの上側の前記フランジのうち一方に突出する前記フランジを下側から支える第一支持部と、前記支持ランナの上側の前記フランジのうち他方に突出する前記フランジを下側から支える第二支持部とを備えているものが好ましい。このような構成によれば、支持ランナをより一層安定して支持することができる。
【０００９】
さらに、本発明に係る天井構造では、前記吊金具は、互いに固定される第一部材と第二部材とから構成されており、前記第一部材は、前記支持ランナの上側の前記フランジのうち一方に突出する前記フランジが挿入される第一スリットを備え、前記第一スリットの下側部分が前記第一支持部を構成し、前記第二部材と前記第一部材とが合わさって、前記支持ランナの上側の前記フランジのうち他方に突出する前記フランジが挿入される第二スリットが形成され、前記第二スリットの下側になる前記第二部材が前記第二支持部を構成しているものが好ましい。このような構成によれば、吊金具への支持ランナの固定を容易に行うことができる。
【００１０】
また、本発明に係る天井構造では、前記吊金具は、吊ボルトを固定する吊ボルト固定部を備えており、前記吊ボルト固定部には、前記吊ボルトが挿通する長孔が形成されているものが好ましい。このような構成によれば、吊金具および支持ランナの設置位置を調整することができる。
【００１１】
さらに、本発明に係る天井構造では、前記吊金具は、ブレースを固定するためのブレース取付面を備えているものが好ましい。このような構成によれば、別途のブレース用金具を設けることなくブレースを取り付けることができる。
【００１２】
また、本発明に係る天井構造では、前記吊金具に交差する交差金具をさらに備えており、前記交差金具は、前記ブレースとは異なる方向に延在する第二ブレースを固定するための第二ブレース取付面を備えているものが好ましい。このような構成によれば、別途のブレース用金具を設けることなく異なる方向のブレースを取り付けることができる。
【００１３】
さらに、本発明に係る天井構造では、前記交差金具は、前記吊金具が交差した状態で挿通する切欠きを備えているものが好ましい。このような構成によれば、吊金具への交差金具の設置を容易に行うことができる。
【００１４】
また、本発明に係る天井構造では、前記フランジの先端部に、上下で対向する前記フランジに向かって突出する突部が形成されており、前記突部は、前記フランジの長手方向に沿って連続的または間欠的に形成されており、前記野縁に、前記突部が挿通または噛合する凹部が形成されているものが好ましい。このような構成によれば、野縁の凹部が支持ランナの突部によって係止されるので、野縁が支持ランナのフランジ間から離反するのを防止できる。さらに、支持ランナの長手方向への野縁の移動は許容されるので、野縁の位置決めを容易に行うことができる。
【００１５】
本発明は、ウェブと上下のフランジを備えた断面Ｈ型の支持ランナを支持する吊金具であって、前記支持ランナの上側の前記フランジのうち一方に突出する前記フランジを下側から支える第一支持部と、前記支持ランナの上側の前記フランジのうち他方に突出する前記フランジを下側から支える第二支持部とを備えていることを特徴とする。
【００１６】
このような構成によれば、支持ランナの上側の両方のフランジを下側から支えるので、剛性が高い断面Ｈ型形状の支持ランナを安定した状態で支持することができる。また、支持ランナの上下のフランジ間に野縁の端部を挿入して支持すれば、天井下地材の高さ寸法を小さくすることができる。
【００１７】
さらに、本発明は、ウェブと上下のフランジを備えた支持ランナを支持する吊金具であって、前記支持ランナを支持する第一金具と、前記第一金具に交差する第二金具とを備え、前記第一金具は、前記支持ランナの上側の前記フランジのうち一方に突出する前記フランジを下側から支える第一支持部と、前記支持ランナの上側の前記フランジのうち他方に突出する前記フランジを下側から支える第二支持部と、ブレースを固定するためのブレース取付面とを備えており、前記第二金具は、前記ブレースとは異なる方向に延在する第二ブレースを固定するための第二ブレース取付面を備えていることを特徴とする。
【００１８】
このような構成によれば、第一金具が支持ランナの上側の両方のフランジを下側から支えるので、剛性が高い断面Ｈ型形状の支持ランナを安定した状態で支持することができる。また、支持ランナの上下のフランジ間に野縁の端部を挿入して支持すれば、天井下地材の高さ寸法を小さくすることができる。さらに、第二金具を第一金具に交差して設けたことで、ブレースの取付け方向を選択することができる。
【発明の効果】
【００１９】
本発明に係る天井構造および吊金具によれば、天井下地材の剛性を高くできるとともに、高さ寸法を小さくすることができる。
【図面の簡単な説明】
【００２０】
【図１】本発明の第一実施形態に係る天井構造を示した平面図である。
【図２】本発明の第一実施形態に係る天井構造を示した正面図である。
【図３】本発明の第一実施形態に係る天井構造の要部を示した正面図である。
【図４】本発明の第一実施形態に係る天井構造の要部を示した斜視図である。
【図５】（ａ）は本発明の第一実施形態に係る吊金具の第一部材を示した平面図、（ｂ）は正面図、（ｃ）は側面図である。
【図６】（ａ）は本発明の第一実施形態に係る吊金具の第二部材を示した平面図、（ｂ）は正面図、（ｃ）は側面図である。
【図７】本発明の第二実施形態に係る天井構造の要部を示した側面図である。
【図８】本発明の第二実施形態に係る天井構造の要部を示した斜視図である。
【図９】（ａ）は本発明の第二実施形態に係る吊金具の第二金具を示した平面図、（ｂ）は側面図、（ｃ）は正面図である。
【図１０】（ａ）は本発明の第三実施形態に係る天井構造の要部を示した正面図、（ｂ）は側面図である。
【図１１】本発明の第三実施形態に係る天井構造の要部を示した斜視図である。
【図１２】（ａ）は支持ランナと野縁の変形例を示した正面図、（ｂ）は側面図である。
【発明を実施するための形態】
【００２１】
本発明の第一実施形態に係る天井構造および吊金具について図面を参照しつつ詳細に説明する。なお、説明において同一要素には同一の符号を用い、重複する説明は省略する。図１および図２に示すように、本発明に係る天井構造１は、支持ランナ１０と野縁２０と吊金具３０とを備えている。
【００２２】
支持ランナ１０は、野縁２０を支持する部材であって、上階の床スラブ等からなる上部構造体２から垂下された吊ボルト３（図２参照）に固定されている。支持ランナ１０は、複数本設けられており、所定の間隔をあけて互いに平行に配置されている。
【００２３】
図３および図４に示すように、支持ランナ１０は、ウェブ１１と上下のフランジ１２，１３を備えており、上下のフランジ１２，１３は、それぞれウェブ１１の両側に広がっている。つまり、支持ランナ１０は、断面Ｈ型の長尺部材からなり、Ｈを横向きに倒した断面Ｉ型に配置されている。なお、支持ランナ１０は、ウェブ１１の上下にフランジ１２，１３が位置する断面Ｉ型に配置されているが、フランジ１２，１３の突出寸法が、ウェブ１１の高さ寸法より大きいので、断面Ｈ型と称している。
【００２４】
支持ランナ１０は、一対の断面Ｃ型のチャンネル材の背面（ウェブ）同士を突き合わせて固定して形成されている。本実施形態では、上側のフランジ１２の突出寸法は、下側のフランジ１３の突出寸法よりも小さい。なお、フランジ１２の突出寸法は、フランジ１３の突出寸法と同じであってもよい。
【００２５】
野縁２０は、支持ランナ１０に支持される部材であって、断面溝型の長尺部材からなる。溝型の両側面２１，２１の上端部には、幅方向内側にそれぞれ突出するリップ部２２，２２が形成されている。溝型の底面２３には、天井板４がビス等の固定部材によって固定される。野縁２０は、平面視で支持ランナ１０に対して直交する方向に延在している。野縁２０の端部は、支持ランナ１０の上側のフランジ１２と下側のフランジ１３の間に挿入されて係止されている。野縁２０の端面は、支持ランナ１０のウェブ１１と所定の間隔をあけて対向している（図３参照）。このように野縁２０の端面とウェブ１１との間にクリアランスを設けることで、各部材の製造誤差および配置誤差を吸収している。なお、野縁２０の形状は、断面溝型に限定されるものではなく、たとえば断面矩形の角型形状等、他の形状であってもよい。
【００２６】
吊金具３０は、吊ボルト３に固定されるとともに支持ランナ１０を吊る金具であって、上側のフランジ１２を下側から支えている。吊金具３０は、支持ランナ１０の上側のフランジ１２のうち一方に突出するフランジ１２を下側から支える第一支持部３１と、支持ランナ１０の上側のフランジ１２のうち他方に突出するフランジ１２を下側から支える第二支持部３２とを備えている。吊金具３０は、互いに固定される第一部材３３（図５参照）と第二部材３４（図６参照）とを備えて構成されている。
【００２７】
図３乃至図５に示すように、第一部材３３は、金属製の板材を折り曲げて形成されており、垂直板部３５と水平板部３６とを備えている。垂直板部３５は、支持ランナ１０の長手方向に直交する部材であって、第一スリット３７を備えている。第一スリット３７は、上側のフランジ１２のうち一方（図３中、右側）に突出するフランジ１２が挿入される部分である。第一スリット３７の下側部分には、第一支持部３１が形成されている。第一支持部３１は、垂直板部３５の図３中、右半分の下端部で下方に突出した部分であって、第一スリット３７の下側に位置した板材にて構成されている。第一支持部３１の先端部は、直角に屈曲してウェブ１１の表面に当接する第一当接面部３８となっている。第一当接面部３８には、ビス孔３９（図５参照）が形成されており、ビスＶ等の固定部材（図３参照）によって、ウェブ１１と第一当接面部３８が固定されるように構成されている。垂直板部３５の上側の左右両端部は、ブレース４０を固定するためのブレース取付面４１となっている。ブレース取付面４１には、ブレース４０の端部が当接され、ビスＶ等の固定部材によってブレース４０が固定される（図３参照）。
【００２８】
水平板部３６は、垂直板部３５の上端から直角に折り曲げられて形成されており、吊ボルト３を固定する吊ボルト固定部４３となっている。吊ボルト固定部４３（水平板部３６）には、吊ボルト３が挿通する長孔４４が形成されている（図４および図５の（ａ）参照）。長孔４４は、水平板部３６が拡がる左右方向（支持ランナ１０の幅方向）に長く形成されており、吊ボルト３に対する支持ランナ１０の幅方向の相対位置を調整可能になっている。長孔４４に挿通された吊ボルト３には、吊ボルト固定部４３の上下位置にナットＮ，Ｎが装着されている。ナットＮ，Ｎで吊ボルト固定部４３を挟むことで、吊ボルト固定部４３が吊ボルト３に固定される。
【００２９】
図３および図４に示すように、第二部材３４は、第一部材３３に固定される部材である。図６にも示すように、第二部材３４は、金属製の板材を折り曲げて形成されており、第二垂直板部４５と第二当接面部４８とを備えている。第二垂直板部４５は、第一部材３３の図３中、左下部分に取り付けられる。第二垂直板部４５は、横長の切込み４６を備え、正面視コ字形状を呈している（図６の（ｂ）参照）。第二垂直板部４５は、切込み４６の上縁部を第一部材３３の左下部分に揃えるように配置される。切込み４６の上側の周縁部分には、ビス孔５０が形成されており、前記上側周縁部分は、第一部材３３に当接されてビスＶ等の固定部材（図４参照）によって第一部材３３に固定される。第二垂直板部４５は、第一部材３３と合わさることによって、第二スリット４７を形成している。第二スリット４７は、上側のフランジ１２のうち他方（図３中、左側）に突出するフランジ１２が挿入される部分である。そして、第二スリット４７の下側になる第二部材３４の下側部分が、第二支持部３２を構成している。第二支持部３２の先端部は、直角に屈曲してウェブ１１の裏面（第一当接面部３８が当接する面の裏面）に当接する第二当接面部４８となっている。第二当接面部４８は、第一当接面部３８と反対向きに屈曲している。第二当接面部４８には、ビス孔４９（図６参照）が形成されており、ビスＶ等の固定部材によって、ウェブ１１と第二当接面部４８が固定されるようになっている。
【００３０】
次に、前記構成の吊金具３０を用いて支持ランナ１０を支持する手順を説明する。支持ランナ１０を支持するに際しては、吊金具固定工程と仮止め工程と本固定工程とを行う。
【００３１】
吊金具固定工程は、吊金具３０を吊ボルト３に固定する工程である。吊金具固定工程では、吊ボルト３の下端部を、吊ボルト固定部４３の長孔４４に挿通させて、上下からナットをＮ，Ｎで締め付けて吊ボルト固定部４３を挟持する。このとき、長孔４４への吊ボルト３の挿通位置を調整して、支持ランナ１０の設置位置を位置決めする。
【００３２】
仮止め工程は、支持ランナ１０を吊金具３０に係止して仮止めする工程である。具体的には、支持ランナ１０の上側のフランジ１２のうち一方に突出するフランジ１２を、吊金具３０の第一スリット３７に挿入し、その下側の第一支持部３１で係止する。これによって支持ランナ１０が仮止めされる。
【００３３】
本固定工程は、支持ランナ１０を吊金具３０に本固定する工程である。本固定工程では、まず、第二部材３４の切込み４６で、支持ランナ１０の上側のフランジ１２のうち他方に突出するフランジ１２を挟むとともに、第二部材３４を第一部材３３にビス等の固定部材によって固定する。これによって、支持ランナ１０が、幅方向両側から挟まれるとともに、上側の両フランジ１２，１２が第一支持部３１と第二支持部３２とで下側から支持される。そして、支持ランナ１０の長手方向の位置調整を行った後、各当接面部３８，４８をウェブ１１にビスＶ等の固定部材によって固定する。これによって、支持ランナ１０が吊金具３０に本固定される。
【００３４】
支持ランナ１０の固定が完了した後は、野縁２０の端部を、支持ランナ１０の上側のフランジ１２と下側のフランジ１３の間に挿入して、所定位置で係止する。なお、野縁２０は、支持ランナ１０にビス等の固定部材によって固定してもよい。ビスによる固定を行えば、支持ランナ１０と野縁２０からなる天井下地としての面剛性を高めることができる。その後、必要に応じて、ブレース４０の上端部を吊ボルト３の上端部に固定するとともに、ブレース４０の下端部をブレース取付面４１にビスＶ等の固定部材によって固定して、ブレース４０を設置する。最後に、天井板４を野縁２０の底面２３に固定して天井構造１が完成する。
【００３５】
以上のような構成の天井構造１によれば、支持ランナ１０が断面Ｈ方形状を呈しているので、支持ランナ１０の剛性を高くできる。特に、フランジ１２，１３の突出寸法が、ウェブ１１の高さ寸法より大きいので、水平方向の剛性を高くできる。
【００３６】
また、支持ランナ１０は、ウェブ１１に上下のフランジ１２，１３が設けられているので、上下のフランジ１２，１３間に野縁２０の端部を挿入して支持することができる。また、フランジ１２，１３は、ウェブ１１の両面に設けられているので、野縁２０を支持ランナ１０の幅方向両側で支持できる。これによって、支持ランナ１０と野縁２０を同じ高さに配置することができるので、天井下地材全体の高さ寸法を小さくすることができる。このような天井構造１においては、天井裏寸法が小さい場合であっても、設備配管スペースを確保することができる。
【００３７】
本実施形態に係る吊金具３０では、上側のフランジ１２を下側から支えているので、支持ランナ１０を安定した状態で支持することができる。特に、吊金具３０は、上側の一方のフランジ１２を支える第一支持部３１と、他方のフランジ１２を支える第二支持部３２とを備えているので、支持ランナ１０を左右のバランスよく支えることができ、より一層安定して支持することができる。また、フランジ１２を下側から支えることで、支持ランナ１０を仮止めできるので、位置決めや固定作業を行い易い。
【００３８】
さらに、吊金具３０は、第一スリット３７を備えた第一部材３３と、第一部材３３と合わさって第二スリット４７を形成する第二部材３４とから構成されているので、左右のフランジ１２，１２を両側から挟むことができる。したがって、吊金具３０への支持ランナ１０の固定を容易に行うことができる。
【００３９】
また、吊金具３０は、吊ボルト固定部４３に吊ボルト３が挿通する長孔４４を備えているので、吊ボルト３に対する吊金具３０および支持ランナ１０の設置位置を調整することができる。
【００４０】
さらに、吊金具３０は、ブレース取付面４１を備えているので、別途のブレース用金具を設けることなくブレース４０を取り付けることができる。
【００４１】
次に、本発明の第二実施形態に係る天井構造および吊金具について説明する。図８に示すように、かかる天井構造１ａは、吊金具３０に交差する交差金具６０をさらに備えた点で、第一実施形態の天井構造１と異なる。支持ランナ１０、野縁２０および吊金具３０については、第一実施形態と同様の形状であるので同じ符号を付して説明を省略する。なお、第二実施形態では、前記吊金具３０を「第一吊金具３０」と称し、交差金具６０を「第二吊金具６０」と称し、第一吊金具３０と第二吊金具６０とを合わせて吊金具となっている。
【００４２】
図９にも示すように、交差金具（第二吊金具）６０は、金属製の板材を折り曲げて形成されており、垂直板部６１と水平板部６２とを備えて構成されている。交差金具６０は、支持ランナ１０の長手方向に沿って広がっている。垂直板部６１は、吊金具（第一吊金具）３０の垂直板部３５に対して直角に交差して配置される部材である。垂直板部６１の幅方向中間部には、吊金具３０が交差した状態で挿通する切欠き６３が形成されている。切欠き６３は、下方に向かって開放されており、垂直板部６１の下端から上方に延在して形成されている。切欠き６３は、吊金具３０の水平板部３６と同等の幅寸法と、第一スリット３７より上側部分と同等の高さ寸法とを備えている。切欠き６３内には、垂直板部３５の上側部分と水平板部３６（図９の（ｂ）中、一点鎖線にて示している）が挿通される。
【００４３】
切欠き６３の上端部には、水平方向に折り曲げられたボルト係止部６４が形成されている。ボルト係止部６４は、吊ボルト３を側方から覆う部位であって、その先端にＵ字状の凹部６５が形成されている。ボルト係止部６４は、水平板部３６に上側から当接し、水平板部３６と一体で吊ボルト３に螺合するナットＮ，Ｎにて挟持される。切欠き６３の高さ方向中間部には、垂直板部６１に直角に折り曲げられた第一当接面部６６が形成されている。第一当接面部６６は、垂直板部３５の一方の面（水平板部３６が突出する側とは逆側の面）に当接して、垂直板部３５にビスＶ等の固定部材によって固定される。切欠き６３の下端部には、水平板部３６の先端側から基端側に延在し、その端部で直角に折り曲げられた第二当接面部６７が形成されている。第二当接面部６７は、垂直板部３５の他方の面（水平板部３６が突出する側の面）に当接して、垂直板部３５にビス等の固定部材によって固定される。垂直板部６１の上側の両端部（図９の（ｂ）の左右両端部）は、ブレース４０を固定するための第二ブレース取付面６８となっている。第二ブレース取付面６８には、ブレース４０の端部が当接され、ビスＶ等の固定部材によってブレース４０が固定される。
【００４４】
水平板部６２は、垂直板部６１の下端から直角に折り曲げられて形成されており、支持ランナ１０に当接する支持ランナ固定部となっている。水平板部（支持ランナ固定部）６２は、切欠き６３の両側（図９の（ｂ）の左右両側）に形成されている。水平板部６２には、複数のビス孔６９，６９が形成されており、上側からフランジ１２にビスＶ等の固定部材によって支持ランナ１０に固定される。
【００４５】
以上のような構成の天井構造１ａ、第一吊金具３０および第二吊金具６０によれば、支持ランナ１０の固定強度を大きくすることができる。さらに、別途のブレース用金具を設けることなく異なる方向のブレース４０を取り付けることができる。また、第一吊金具３０と第二吊金具６０とを固定して平面視十字状に一体化しているので、吊金具自体の剛性を高めることができる。
【００４６】
次に、本発明の第三実施形態に係る天井構造について説明する。かかる天井構造は、吊金具８０の構成が第一実施形態と異なる。図１０および図１１に示すように、吊金具８０は、互いに固定される第一部材８１と第二部材８２とを備えて構成されている。
【００４７】
第一部材８１は、金属製の板材を折り曲げて形成されており、背面部８３と側面部８４と水平面部８５とを備えている。背面部８３は、支持ランナ１０の長手方向に沿って広がる部材であって、第二部材８２と当接する部分である。背面部８３の下端は、支持ランナ１０のフランジ１２の上面に当接する。
【００４８】
側面部８４は、背面部８３の側端から連続して直角に屈曲しており、支持ランナ１０の幅方向に沿って広がっている。側面部８４は、背面部８３の両側端にそれぞれ設けられており、背面部８３と合わせて平面視コ字状となっている。側面部８４の下端部は、支持ランナ１０の上側のフランジ１２よりも下方に延出している。側面部８４は、第一スリット８６を備えている。第一スリット８６は、上側のフランジ１２のうち一方（図１０の（ａ）中、左側）に突出するフランジ１２が挿入される部分である。第一スリット８６の下側部分は、一方のフランジ１２を下側から支える第一支持部８７となっている。
【００４９】
水平面部８５は、背面部８３の上端から直角に折り曲げられて形成されており、吊ボルト３を固定する吊ボルト固定部となっている。水平面部８５は、第二部材８２側に突出している。水平面部８５には、吊ボルト３が挿通する貫通孔（図示せず）が形成されている。
【００５０】
第二部材８２は、金属製の板材を折り曲げて形成されており、背面部９３と側面部９４とを備えている。背面部９３は、支持ランナ１０の長手方向に沿って広がる部材であって、第一部材８１の背面部８３と当接する部分である。背面部９３の下端は、支持ランナ１０のフランジ１２の上面に当接する。背面部９３には、ビス孔（図示せず）が形成されており、ビス等の固定部材によって背面部８３，９３同士を固定するようになっている。背面部９３の高さ寸法は、第一部材８１の背面部８３の高さ寸法より小さくなっており、第二部材９３の上方に、吊ボルト３を固定するナットＮの配置スペースが形成されている。
【００５１】
側面部９４は、背面部９３の側端から連続して直角に屈曲しており、支持ランナ１０の幅方向に沿って広がっている。側面部９４は、背面部９３の両側端にそれぞれ設けられており、背面部９３と合わせて平面視コ字状となっている。側面部９４は、第一部材８１の側面部８４と反対向きに屈曲しており、各側面部８４と同一面上に配置されている。側面部９４の下端部は、支持ランナ１０の上側のフランジ１２よりも下方に延出している。側面部９４は、第二スリット９６を備えている。第二スリット９６は、上側のフランジ１２のうち他方（図１０の（ａ）中、右側）に突出するフランジ１２が挿入される部分である。第二スリット９６の下側部分は、一方のフランジ１２を下側から支える第二支持部９７となっている。
【００５２】
以上のような構成の吊金具８０においても、前記実施形態の天井構造１および吊金具３０と同様の作用効果を得ることができる。
【００５３】
次に、支持ランナと野縁の変形例を説明する。図１０に示すように、変形例に係る支持ランナ１０ａは、上側のフランジ１２の突出方向先端部に、上下で対向する下側のフランジ１３に向かって突出する突部１５が形成されている。突部１５は、支持ランナ１０ａの長手方向に沿って連続的に延在している。なお、突部１５は、前記構成に限定されるものではなく、所定の間隔をあけて間欠的に形成されていてもよい。
【００５４】
野縁２０ａには、突部１５が挿通する凹部２５が形成されている。凹部２５は、野縁２０ａの端部の上端縁に形成されている。野縁２０ａの長手方向における凹部２５の寸法は、突部１５の厚さ寸法より大きくなっており、野縁２０ａの長手方向位置を容易に移動でき、位置調整可能となっている。なお、本実施形態では、野縁２０ａの長手方向における凹部２５の寸法は、突部１５の厚さ寸法より大きく、凹部２５に突部１５が挿通可能になっているが、これに限定されるものではない。野縁２０ａの長手方向における凹部２５の寸法を、突部１５の厚さ寸法と同等にして、凹部２５に突部１５を噛合させるようにしてもよい。
【００５５】
以上のような構成の支持ランナ１０ａおよび野縁２０ａによれば、野縁２０ａの凹部２５が支持ランナ１０ａの突部１５によって係止される。したがって、野縁２０ａが支持ランナ１０ａのフランジ１２，１３間から離反するのを防止できる。さらに、野縁２０ａの支持ランナ１０ａの長手方向への移動は許容されるので、野縁２０ａの位置決めを容易に行うことができる。
【００５６】
なお、本実施形態では、野縁２０ａの長手方向における凹部２５の寸法は、突部１５の厚さ寸法より大きく、凹部２５に突部１５が挿通可能になっているが、これに限定されるものではない。野縁２０ａの長手方向における凹部２５の寸法を、突部１５の厚さ寸法と同等にして、凹部２５に突部１５を噛合させるようにしてもよい。
【００５７】
以上、本発明を実施するための形態についてそれぞれ説明したが、本発明は前記の実施形態に限定されず、本発明の趣旨を逸脱しない範囲で、材質、形状や大きさなど適宜設計変更が可能である。たとえば、吊金具３０は、二部材を組み付けて支持ランナ１０の上側の一対のフランジ１２，１２を支持する構成としているが、これに限定されるものではない。たとえば、吊金具に、支持ランナ１０の上側のフランジ１２，１２の幅寸法と同等の幅を有するとともに下向きに開口する凹部を形成し、凹部の開口端近傍に折り曲げ可動式のフランジ支持部を備えた構成にすれば、一部材で、上両側のフランジを支持することができる。具体的には、支持ランナ１０の装着時には、フランジ支持部を折り曲げて凹部を開いておくことで、上側のフランジを下側から凹部に挿通可能となる。フランジを挿通させた後、フランジ支持部を曲げてフランジの下方に位置させる。これによって、フランジを下側から支えることができる。
【００５８】
また、前記実施形態では、支持ランナ１０は、一対の断面Ｃ型のチャンネル材の背面同士を突き合わせて一体化して形成されているが、これに限定されるものではない。支持ランナ１０は、押出形材等により断面Ｈ型形状に一体成形してもよい。
【００５９】
さらに、前記変形例に係る支持ランナ１０ａおよび野縁２０ａでは、上側のフランジ１２に下向きの突部１５を形成したがこれに限定されるものではない。下側のフランジ１３に上向きの突部を形成してもよいし、上下のフランジ１２，１３の両方に突部を形成してもよい。
【符号の説明】
【００６０】
１      天井構造
１ａ    天井構造
２      上部構造体
３      吊ボルト
４      天井板
１０    支持ランナ
１０ａ  支持ランナ
１１    ウェブ
１２    フランジ
１３    フランジ
１５    突部
２０    野縁
２０ａ  野縁
２５    凹部
３０    吊金具
３１    第一支持部
３２    第二支持部
３３    第一部材
３４    第二部材
３７    第一スリット
４０    ブレース
４１    ブレース取付面
４３    吊ボルト固定部
４４    長孔
４５    第二垂直板部
４７    第二スリット
６０    交差金具（第二吊金具）
６８    第二ブレース取付面
８０    吊金具
８１    第一部材
８２    第二部材
８６    第一スリット
８７    第一支持部
９６    第二スリット
９７    第二支持部
【図１】
2019152060.tif 000003
【図２】
2019152060.tif 000004
【図３】
2019152060.tif 000005
【図４】
2019152060.tif 000006
【図５】
2019152060.tif 000007
【図６】
2019152060.tif 000008
【図７】
2019152060.tif 000009
【図８】
2019152060.tif 000010
【図９】
2019152060.tif 000011
【図１０】
2019152060.tif 000012
【図１１】
2019152060.tif 000013
【図１２】
2019152060.tif 000014